(57)【要約】【課題】  シート体を安定して搬送することが可能なシート体搬送装置を提供する。【解決手段】  ガイド板４１ｂの下流側の端縁５１は、幅方向の長さが両端から中心に向かって漸次狭くなり、搬送方向に対して凸形状にされており、端縁５１の中心部には搬送方向に対して幅が狭くなる略二等辺三角形の突出板５２が形成されている。また、ガイド板４２ｂの上流側の端縁６１は、幅方向の長さが両端から中心に向かって漸次狭くなり、搬送方向と逆の方向に対して凹形状にされており、端縁６１の中央部には、搬送方向に対して幅が狭くなる切欠き６２が形成されている。ガイド板４１ｂとガイド板４２ｂは、端縁５１と端縁６１とが隣接するように配置され、突出板５２が切欠き６２に入り込むように隣接する。【選択図】        図３
2005306606.tif 000002
【特許請求の範囲】
【請求項１】
シート体の搬送方向に沿って配置され、前記シート体を前記搬送方向に案内する複数のガイド部材を備えたシート体搬送装置において、
前記複数のガイド部材は、前記シート体の搬送方向に対して隣り合う第１のガイド部材と、第２のガイド部材とを少なくとも備え、
前記第１のガイド部材の下流側の端縁は、前記搬送方向と直交する幅方向の長さが両端から中心に向かって漸次狭くなり、前記搬送方向に対して凸形状にされ、
前記第２のガイド部材の上流側の端縁は、前記幅方向の長さが両端から中心に向かって漸次狭くなり、前記搬送方向と逆の方向に対して凹形状にされ、
前記第１及び第２のガイド部材は、前記下流側の端縁と前記上流側の端縁とが隣接するように配置されていることを特徴とするシート体搬送装置。
【請求項２】
前記下流側の端縁及び前記上流側の端縁の一方には、他方に向かって突出する突出板が中心部に形成され、他方には、前記突出板よりもサイズの大きな切欠きが中心部に形成され、前記第１及び第２のガイド部材は、前記突出板が前記切欠きに入り込むように隣接していることを特徴とする請求項１記載のシート体搬送装置。
【請求項３】
前記突出板は、前記他方に向かって前記幅方向の長さが漸次狭くなる凸形状にされ、前記切欠きは、前記一方に向かって前記幅方向の長さが漸次広くなる形状にされていることを特徴とする請求項２記載のシート搬送装置。
【請求項４】
前記第１及び第２のガイド部材は、前記シート体の先端辺が前記幅方向と平行になるように前記シート体の傾きを補正する傾き補正手段に設けられており、前記第１ガイド部材は、搬送路と略直交する方向に前記幅方向の両端の傾きが調整可能にされていることを特徴とする請求項１ないし請求項３のいずれか記載のシート体搬送装置。
【請求項５】
前記シート体を搬送する搬送ローラを備え、前記搬送ローラは手動操作によって、前記搬送方向とは逆方向に回転可能にされていることを特徴とする請求項１ないし請求項４のいずれか記載のシート体搬送装置。
【発明の詳細な説明】
【技術分野】
【０００１】
本発明は、シート体を搬送方向に沿ってガイドする複数のガイド部材を備えたシート体搬送装置に関する。
【背景技術】
【０００２】
シート体である記録材料を副走査方向に搬送しながら、記録手段によって主走査方向に画像を記録することにより、記録材料に画像を記録する画像記録装置が知られている。このような画像記録装置では、副走査方向に搬送される記録材料の移動をガイドするために複数のガイド部材が設けられている。このようなガイド部材では、記録手段の上流側及び下流側に配置される装置からの振動が記録手段に伝わって、画像ムラが発生する等の悪影響を及ぼすことを防止するために、記録手段に設けられるガイド部材と、記録手段の上流側及び下流側の装置に設けられるガイド部材とでは別体にされている。
【０００３】
しかし、前述のように記録手段とその前後の装置とでガイド部材を別体にすることにより、隣り合うガイド部材との継ぎ目部分に微小な段差が発生する。このため、記録手段が記録材料に画像を記録している際に、記録材料の後端が段差を通過して、段差を落下した衝撃により画像に一筋の線が入る等の問題があった。このような継ぎ目部分は、従来の装置では、０．５ｍｍ程度に抑えることも考えられるが、ユニット間の継ぎ目の様に互いの部品精度だけで±１．０ｍｍ移動するような箇所では０．５ｍｍの段差を常時維持することは困難である。このため、隣合うガイド部材の継ぎ目部分を櫛歯構造にして、互いに噛み合う位置に配置することにより、記録材料の後端が継ぎ目部分を通過する際の衝撃を低減する方法が知られている（例えば、特許文献１及び特許文献２参照）。
【０００４】
【特許文献１】特開平８−７６２９９号公報
【特許文献２】特開平８−１４６５３６号公報
【発明の開示】
【発明が解決しようとする課題】
【０００５】
しかしながら、上記特許文献１及び特許文献２に記載されているように、隣り合うガイド部材の継ぎ目部分を単純な櫛歯構造にしても、写真プリンタのように、サイズ、紙質、カール等が異なる記録材料を搬送する場合、記録材料の先端側が継ぎ目部で引っかかる等の問題があり、全ての記録材料に対して継ぎ目部を確実に通過させることが難しい。
【０００６】
本発明は上記事情に鑑みてなされたものであり、シート体を安定して搬送させることが可能なシート体搬送装置を提供する。
【課題を解決するための手段】
【０００７】
上記課題を解決するために、本発明のシート体搬送装置は、シート体の搬送方向に沿って配置され、前記シート体を前記搬送方向に案内する複数のガイド部材を備えたシート体搬送装置であり、前記複数のガイド部材は、前記シート体の搬送方向に対して隣り合う第１のガイド部材と、第２のガイド部材とを少なくとも備え、前記第１のガイド部材の下流側の端縁は、前記搬送方向と直交する幅方向の長さが両端から中心に向かって漸次狭くなり、前記搬送方向に対して凸形状にされ、前記第２のガイド部材の上流側端縁は、前記幅方向の長さが両端から中心に向かって漸次狭くなり、前記搬送方向と逆の方向に対して凹形状にされ、前記第１及び第２のガイド部材は、前記下流側の端縁と前記上流側の端縁とが隣接するように配置されていることを特徴とするものである。
【０００８】
また、前記下流側の端縁及び前記上流側の端縁の一方には、他方に向かって突出する突出板が中心部に形成され、他方には、前記突出板よりもサイズの大きな切欠きが中心部に形成され、前記第１及び第２のガイド部材は、前記突出板が前記切欠きに入り込むように隣接していることが好ましい。さらに、前記突出板は、前記他方に向かって前記幅方向の長さが漸次狭くなる凸形状にされ、前記切欠きは、前記一方に向かって前記幅方向の長さが漸次広くなる形状にされていることが好ましい。
【０００９】
前記第１及び第２のガイド部材は、前記シート体の先端辺が前記幅方向と平行になるように前記シート体の傾きを補正する傾き補正手段に設けられており、前記第１ガイド部材は、搬送路と略直交する方向に前記幅方向の両端の傾きが調整可能にされていることを特徴とするものである。
【００１０】
前記シート体を搬送する搬送ローラを備え、前記搬送ローラは手動操作によって、搬送方向とは逆方向に回転可能にされていることを特徴とするものである。
【発明の効果】
【００１１】
本発明のシート体搬送装置によれば、サイズ、紙質、カール等が異なる記録材料を搬送する場合でも、複数のガイド部材が互いに隣接する端縁で、記録材料の先端が引っかかることを防止できるので、全ての記録材料に対して継ぎ目部を確実に通過させることができる。また、記録材料の後端が、複数のガイド部材が互いに隣接する端縁を通過する際の衝撃も低減されているので、前後の装置に振動が伝わることを防止できる。
【発明を実施するための最良の形態】
【００１２】
図１は、本発明の搬送装置を用いた写真プリンタ１０の概略図である。写真プリンタ１０は、図１に示すように、マガジン１２，１３、カッタ１５，１６、裏印字装置１８、スキュー補正装置１９、露光装置２１、現像装置２２、システムコントローラ２３などから構成されている。
【００１３】
マガジン１２，１３は、記録材料である長尺の感光材料２４をロール状に巻き取ったロール２５が各々に収納されており、写真プリンタ１０内の所定位置にセットされている。また、マガジン１２，１３内には、給紙ローラ対２７が設けられており、図示しない給紙用モータによって回転される。この給紙ローラ対２７が回転すると、マガジン１２，１３からカッタ１５，１６へ向けて、感光材料２４が送り出される。
【００１４】
カッタ１５，１６は、プリントサイズに応じて感光材料２４を所定長にカットして、カットシート状の感光材料２４ａとなる。なお、マガジン毎にカッタを設けずに、裏印字装置１８の近傍に１個のカッタを配置して、各々のマガジンから供給された感光材料２４を１個のカッタでカットするようにしても良い。
【００１５】
この感光材料２４ａは、複数の搬送ローラ対３０により、図中点線で示した搬送路１７に沿って裏印字装置１８、スキュー補正装置１９、露光装置２１、現像装置２２の順に搬送される。裏印字装置１８では、感光材料２４ａの裏面（記録面と反対側の面）に、フイルムＩＤやコマ番号等の情報が印字される。
【００１６】
裏印字が施された感光材料２４ａは、搬送ローラ対３０によってスキュー補正装置１９に搬送される。スキュー補正装置１９は、感光材料２４ａの前端辺を露光装置２１の主走査方向と平行になるように、感光材料２４ａの傾き（以下スキューと称する）を補正する傾き補正手段である。このスキュー補正装置１９によってスキューが補正された感光材料２４ａは、露光装置２１に搬送される。
【００１７】
露光装置２１には、周知のレーザプリンタと画像メモリとが備えられている。画像メモリには、図示しないフイルムスキャナで読み取られ画像データが記憶されている。露光装置２１は、画像メモリに記憶されている画像データに基づいて、搬送方向（副走査方向）に沿って搬送される感光材料２４ａに対して、副走査方向と直交する主走査方向に走査露光を行うことにより、感光材料２４ａに画像を記録する。なお、メモリカード等の記録媒体に記憶された画像データに基づいて走査露光するようにしても良い。露光済みの感光材料２４ａは、現像装置２２に送られる。現像装置２２において、発色現像・定着・洗浄の各処理が行われた後、乾燥処理が施され、写真プリントとして写真プリンタ１０の外部へ送り出される。なお、図示しないが、スキュー補正装置１９以外の場所にも、搬送路１７に対面するように複数の搬送ガイドが配置されている。
【００１８】
次に、シート体搬送装置の好ましい実施形態であるスキュー補正装置１９について説明を行う。図２は、スキュー補正装置１９の側面概要図である。スキュー補正装置１９は、図２に示すように、複数の搬送ローラ対３０と、搬送ガイド４０，４１，４２とを備えている。搬送ガイド４０は、搬送方向の最も上流側に配置され、搬送ガイド４２は、最も下流側に配置されており、搬送ガイド４１は、搬送ガイド４０と搬送ガイド４２との間に配置されている。
【００１９】
搬送ガイド４０は、平板状の２枚のガイド板４０ａ，４０ｂで構成されており、搬送路１７を挟んで互いに対面するように配置されている。搬送ガイド４１は、２枚のガイド板４１ａ，４１ｂで構成されており、搬送路１７を挟んで互いに対面するように配置されている。これらのガイド板４１ａ，４１ｂは、円弧状に湾曲されている。
【００２０】
搬送ガイド４２は、２枚のガイド板４２ａ，４２ｂで構成されている。この２枚のガイド板４２ａ，４２ｂは、ガイド板４１ａ，４１ｂと同様に、搬送路１７を挟んで互いが対面するように上下に配置されている。これらのガイド板４２ａ，４２ｂの上流側は、円弧状に湾曲されており、ガイド板４１ａ，４１ｂと共に搬送方向を９０度曲げる円弧状の搬送路１７を形成している。また、ガイド板４２ａ，４２ｂの下流側は、搬送方向に平行な平面で構成されている。さらに、複数の搬送ローラ対３０は、手動操作により搬送方向と反対方向に回転可能にされており、感光材料２４ａが詰まった時に、詰まった感光材料２４ａが除去し易くされている。
【００２１】
次に、搬送路１７の内側に配置されたガイド板４０ｂ，４１ｂ，４２ｂについて説明する。これらのガイド板４０ｂ，４１ｂ，４２ｂは、感光材料２４の裏面側から搬送方向への移動をガイドする。図３の斜視図及び図４の展開図に示すように、ガイド板４０ｂの下流側の端縁４５は、搬送方向と直交する幅方向（主走査方向）の長さが、両端から中心に向かって漸減して搬送方向の下流側に向かって凸形状（逆Ｖ字形状）にされている。また、端縁４５の中心部には、切欠き４６が形成されている。この切欠き４６は、下流側に向かって主走査方向の幅が広くなり、略二等辺三角形状にされている。
【００２２】
ガイド板４１ｂの上流側の端縁５３は、上流側に向かって凹形状（Ｖ字形状）にされている。また、この上流側の端縁５３の中心部には、切欠き４６に対応する略二等辺三角形状の突出板５４が形成されており、この突出板５４は、上流側に向かって内側に傾斜されており、突出板５４のサイズは、切欠き４６よりも小さくされている。
【００２３】
また、ガイド板４０ｂ及びガイド板４１ｂは、端縁４５と端縁５３とが隣接するように配置されている。このため、突出板５４が切欠き４６に入り込み、突出板５４の先端が切欠き４６よりも内側に配置される。また、突出板５４と切欠き４６の主走査方向の最大幅は、搬送される感光材料２４ａの最小幅よりも小さくされている。
【００２４】
また、ガイド板４１ｂの搬送方向下流側の端縁５１は、主走査方向の両端から中心に向かって幅が漸減して搬送方向の下流側に向かって凸形状（逆Ｖ字形状）にされている。また、この下流側の端縁５１の中心部には、下流側に向かって主走査方向の幅が狭くなり、略二等辺三角形の形状を有する突出板５２が形成されており、この突出板５２は、下流側のガイド板４２ｂに向かって下方に傾斜されている。
【００２５】
ガイド板４２ｂの上流側の端縁６１は、上流側に向かって凹形状（Ｖ字形状）にされている。さらに、この上流側の端縁６１の中心部には、前述の突出板５２に対応する略二等辺三角形の形状を有する切欠き６２が形成されている。
【００２６】
ガイド板４１ｂ，４２ｂは、ガイド板４１ｂの下流側の端縁５１と、ガイド板４２ｂの上流側の端縁６１とが隣接するように配置されている。このため、突出板５２が切欠き６２に入り込むように配置され、突出板５２の先端が切欠き６２よりも下方に配置される。また、突出板５２と切欠き６２の主走査方向の最大幅は、搬送される感光材料の最小幅よりも小さくされている。
【００２７】
また、図５に示すように、ガイド板４２ｂの下流側の端縁６３には、下流側に向かって突出して、下方に傾斜された略長方形の突出板６４が複数形成されおり、この下流側の端縁６３は、突出板６４である凸部と、隣り合う突出板６４との間に形成される凹部とが複数形成され、櫛歯形状となっている。
【００２８】
前述のように、ガイド板４０ｂ，４１ｂの端縁４５，５３が隣接する隣接部（継ぎ目部）、及びガイド板４１ｂ，４２ｂの端縁５１，６１が隣接する隣接部（継ぎ目部）の形状が、下流側に向かって凸形状（逆Ｖ字形状）にされている。このため、感光材料２４ａがカールしている場合でも、感光材料２４ａの先端辺がこれらの隣接部で引っかかることが防止される。また、感光材料２４ａの後端辺がこれらの隣接部を通過する場合、後端辺の幅方向の両端から中心に向かって徐々に下流側のガイド板に乗り移るので、感光材料２４ａの後端辺が隣接部を通過する際の振動が低減される。さらに、隣接する両端縁４５，５３の中心部には、突出板５４と切欠き４６とが噛み合うように隣接して配置されており、同様に、隣接する両端縁５１，６１の中心部には、突出板５２と切欠き６２とが噛み合うように隣接して配置されているので、感光材料２４ａの幅サイズが小さい場合でも、感光材料２４ａの後端辺が隣接部を通過する際に、下流側のガイド板に徐々に乗り移る。
【００２９】
さらに、ガイド板４２ｂの下流側には、露光装置２１における感光材料２４ａの副走査方向への移動をガイドするガイド板６７が配置されている。図５に示すように、このガイド板６７の上流側の端縁６８は、上流側に向かって突出して下方に傾斜された略長方形の突出板６９が複数形成されている。この上流側の端縁６８は、突出板６９である凸部と、隣り合う突出板６９間に形成される凹部とが複数形成され、櫛歯形状となっている。ガイド板４２ｂ及びガイド板６７は、ガイド板４２ｂの下流側の端縁６３と、ガイド板６７の上流側の端縁６８とが、互いの櫛歯形状が互いに噛み合うように隣接して配置されている。
【００３０】
このように、スキュー補正装置１９のガイド板４２ｂと、露光装置２１のガイド板６７とは別体され、隣接するように配置されている。このため、これらのガイド板４２ｂ，６７は当接していないので、スキュー補正装置１９の振動が露光装置２１側のガイド板６７に伝わって、露光に支障をきたすことはない。また、ガイド板４２ｂの下流側の端縁６３と、ガイド板６７の上流側の端縁６８とが櫛歯形状が噛み合うように隣接して配置されているため、感光材料２４ａの後端辺が通過する際に、ガイド板４２ｂからガイド板６７へ徐々に乗り移るので、感光材料２４ａの後端辺が通過する際の振動が低減されている。
【００３１】
以上、搬送路１７よりも内側に配置されたガイド板４０ｂ，４１ｂ，４２ｂについてのみ説明したが、外側に配置されたガイド板４０ａ，４１ａ，４２ａの互いに隣接する端縁は、同様の構成である。ただし、ガイド板４０ａ，４１ａ，４２ａには、ガイド板４０ｂ，４１ｂ，４２ｂのように切欠き４６，６２や、突出板５２，５４は形成されていない。
【００３２】
また、搬送ガイド４０，４１，４２は、露光装置２１の主走査方向に対して平行に配置されている。しかし、搬送ガイド４０，４２が、写真プリンタ１０の本体に固定されているのに対して、搬送ガイド４１は、露光装置２１の主走査方向に対して平行な基準位置に対して、搬送ガイド４１の主走査方向の中心を支点として、搬送路１７に対して垂直な方向に回転自在にされている。スキュー補正装置１９は、この搬送ガイド４１を主走査方向と平行な基準位置に対して傾斜（チルト）させることにより、搬送路１７の主走査方向の両端において搬送路長に差を発生させる。スキュー補正装置１９は、搬送路長に差を生じさせることにより、感光材料２４ａの前端辺が露光装置２１の主走査方向に対して平行になるように、感光材料２４ａの傾き（スキュー）を補正する。この搬送ガイド４１は、後述するチルト駆動機構によってチルトされる。
【００３３】
図６は、チルト駆動機構７０の構成を示す斜視図であり、搬送ガイド４１の下方側から見た斜視図である。チルト駆動機構７０は、搬送ガイド４１を支持するフレーム７１と、このフレーム７１を駆動する駆動軸７２が形成された駆動カム７３と、このチルト駆動カム７３を駆動するチルト駆動モータ７４とを備えている。
【００３４】
フレーム７１は、搬送ガイド４１に対して垂直で、主走査方向に平行な本体部７５と、この本体部７５の両端に垂直に形成された２枚の側板７６とを備えている。チルト駆動カム７３は、略円盤形状を有しており、円の中心位置よりも外周方向にずらした位置に駆動軸７２の一端が取り付けられている。また、この駆動軸７２の他端が前述の側板７６に取り付けられている。
【００３５】
このチルト駆動カム７３は、チルト駆動モータ７４によって回転される。このチルト駆動カム７３が、チルト駆動モータ７４によって回転されると、前述したように駆動軸７２が中心よりも外周方向にずらした位置に取り付けられているので、フレーム７１が図中矢印で示す方向にチルトされる。このため、搬送ガイド４１は、基準位置に対してチルト移動する。
【００３６】
この時、ガイド板４０ｂ，４２ｂとの隣接部が、搬送方向の上流側に向かって凸形状であり、櫛歯形状にはされていないので、ガイド板４１ｂがガイド板４０ｂ，４２ｂに対してチルト移動しても、ガイド板４０ｂ，４２ｂと接触することはない。また、同様に、ガイド板４１ａが、ガイド板４０ａ，４２ａと接触することはない。なお、このチルト駆動機構７０は、写真プリンタ１０全体を制御するシステムコントローラ２３によって行われ、システムコントローラ２３は、チルト駆動モータ７４を駆動することにより、チルト量を制御する。
【００３７】
次に、上記構成のスキュー補正装置１９の作用を説明する。裏印字装置１８にて裏印字された感光材料２４ａがスキュー補正装置１９に搬送されると、感光材料２４ａにスキューがない場合は、システムコントローラ２３は、チルト駆動機構７０を制御せずに、搬送ガイド４１を基準位置、つまり主走査方向に平行な状態のまま、複数の搬送ローラ対３０を制御して、感光材料２４ａを搬送する。
【００３８】
その後、感光材料２４ａの先端辺が搬送ガイド４０，４１の隣接部、及び搬送ガイド４１，４２の隣接部を通過する際、隣接部の形状が搬送方向下流側に向かって凸形状（逆Ｖ字形状）にされているので、感光材料２４ａがカールしていても先端辺が継ぎ目部（隣接部）で引っかかって、感光材料２４ａが詰まることが防止されている。このため、感光材料２４ａの先端辺を確実に通過させることができる。
【００３９】
感光材料２４ａの後端辺が、搬送ガイド４０，４１の隣接部、及び搬送ガイド４１，４２の隣接部を通過する際も、下流側の搬送ガイドへ徐々に受け渡たされるため、隣接部に段差がある場合でも後端辺の通過時に発生する衝撃が低減されている。このため、下流側に配置された露光装置２１に振動が伝わることが防止されている。また、ガイド板４０ｂ，４１ｂ，４２ｂの隣接部の中心には、突出板５２，５４と切欠き４６，６２とが噛み合うように設けられているので、感光材料２４ａの幅サイズが小さい場合でも、下流側のガイド板へ徐々に受け渡されて、後端が通過する際に発生する衝撃が低減されている。
【００４０】
このように、感光材料２４ａの幅サイズに依らず、搬送ガイド４０，４１，４２の隣接部において、感光材料２４ａの先端辺を確実に通過させるとともに、感光材料２４ａの後端辺が通過する際の衝撃を低減させることができるので、感光材料２４ａを安定して搬送することができる。
【００４１】
その後、搬送ガイド４１、４２の隣接部を通過した感光材料２４ａが、搬送ガイド４２の下流側にさらに搬送され、露光装置２１に搬送される。
【００４２】
また、感光材料２４ａにスキューがある場合、システムコントローラ２３は、チルト駆動機構７０のチルト駆動モータ７４を制御することにより、搬送ガイド４１を基準位置から所定のチルト位置に移動させる。その後、システムコントローラ２３は、搬送ローラ対３０を制御して感光材料２４ａを下流側に向かって搬送させる。
【００４３】
この時、搬送ガイド４１が、搬送ガイド４０，４２に対して傾いているので、搬送路１７の主走査方向両端の搬送路長に差が生じており、感光材料２４ａの前端辺が主走査方向と平行になるように、スキューが補正される。なお、搬送ガイド４０，４１，４２の隣接部（継ぎ目部）は、搬送方向下流に向かって凸形状（逆Ｖ字形状）にされているので、搬送ガイド４１をチルトさせても、搬送ガイド４０，４２に接触することはないので、チルト量を大きくすることができる。このため、感光材料２４ａのスキューの補正範囲を広げることができる。
【００４４】
その後、感光材料２４ａは、搬送ローラ対３０により搬送路１７に沿って搬送され、感光材料２４ａが下流側の露光装置２１に搬送される。
【００４５】
また、スキュー補正装置１９にて、感光材料２４ａが詰まった場合、搬送ローラ対３０を手動操作して搬送方向と逆方向に回転させて、紙詰まりした感光材料２４ａを戻し方向に移動させても、搬送ガイド４０，４１，４２の隣接部が、搬送方向上流に向かってＶ字形状にされているので、感光材料２４ａが引っかかることはない。
【００４６】
なお、突出板５２，５４、及び切欠き４６，６２を形成する位置や向きは、上記実施形態に限るものではない。例えば、図７に示すように、ガイド板８１〜８３を構成しても良い。ガイド板８１は搬送方向の最も上流側に配置されており、ガイド板８３は搬送方向の最も下流側に配置されている。また、ガイド板８２は、ガイド板８１とガイド板８３との間に配置されている。
【００４７】
ガイド板８１の下流側の端縁８４は、下流側に向かって凸形状（逆Ｖ字形状）にされており、その中心部には切欠き８５が形成されている。また、ガイド板８２の上流側の端縁８６は、上流側に向かって凹形状（Ｖ字形状）にされており、その中心部には、上流側に向かって突出する突出板８７が形成されている。
【００４８】
ガイド板８２の下流側の端縁８８は、下流側に向かって凸形状（逆Ｖ字形状）にされており、その中心部には切欠き８９が形成されている。また、ガイド板８３の上流側の端縁９０は、上流側に向かって凹形状（Ｖ字形状）にされており、その中心部には、上流側に向かって突出する突出板９１が形成されている。
【００４９】
また、切欠き８５，８９は、切欠き４６，６２と同様の形状にされており、突出板８７，９１は、突出板５２，５４と同様の形状にされている。ガイド板８１〜８３は、端縁８４と端縁８６とが隣接し、端縁８８と端縁９０とが隣接するように配置されている。
【００５０】
ガイド板８１〜８３を上記構成にすることによって、ガイド板８２，８３の継ぎ目部（隣接部）において、切欠き８９及び突出板９１の向きが、ガイド板４１，４２の継ぎ目部（隣接部）と異なるが、ガイド板４０ｂ，４１ｂ，４２ｂと同様に作用する。
【００５１】
また、突出板５２，５４、及び切欠き４６，６２の形状は、上記実施形態に限るものではない。例えば、図８に示すように、ガイド板９２，９３を構成しても良い。ガイド板９２は、ガイド板９３よりも上流側に配置されており、ガイド板９２の下流側の端縁９４は、主走査方向の両端から中心に向かって幅が漸減して下流側に向かって凸形状（逆Ｖ字形状）にされている。この下流側の端縁９４の中心部には、ガイド板９３に向かって突出した２つの突出板９５が形成されている。この２つの突出板９５は矩形状にされており、これらの間には矩形状の凹部である切欠き９６が形成されている。
【００５２】
また、ガイド板９３の上流側の端縁９７は、上流側に向かって凹形状（Ｖ字形状）にされている。この上流側の端縁９７の中心部には、ガイド板９２に向かって突出した突出板９８が形成されている。この突出板９８は矩形状にされており、切欠き９６よりもサイズが小さくされている。また、突出板９８は、上流側のガイド板９２に向かって下方に傾斜されている。
【００５３】
これらのガイド板９２，９３は、端縁９４と端縁９７とが隣接するように配置されており、突出板９８と切欠き９６とが噛み合うように隣接する。この時、突出板９８の先端は、切欠き９６の下方に配置される。
【００５４】
このように、突出板及び切欠きの形状を矩形状にしても良いし、互いに隣接する端縁に形成された突出板が互いに噛み合うようにしても良い。この場合も、ガイド板４０ｂ，４１ｂ，４２ｂと同様に作用する。また、これらの突出板及び切欠きの数は、本実施形態に限定されるものではなく、感光材料２４ａの最小幅以内であれば何個でも良い。
【００５５】
また、上記実施形態において、隣り合うガイド板の隣接する端縁を直線状に形成する場合を例に説明したが、これに限るものではなく、隣接する端縁を曲線で形成しても良い。
【００５６】
なお、本実施形態において、本発明のシート体搬送装置を写真プリンタのスキュー補正装置に適用した場合について説明したが、これに限るものではなく、シート体を搬送方向にガイドする複数のガイド部材を備えたシート体搬送装置であれば良く、例えば、写真プリンタの露光部のシート体搬送装置や、感熱プリンタ、インクジェットプリンタ、スキャナ等のシート体搬送装置に本発明を適用しても良し、電子写真方式（静電転写方式）を利用した複写機や、ピクトログラフィ（レーザ露光、熱現像転写方式）等のシート体搬送装置に本発明を適用しても良い。
【図面の簡単な説明】
【００５７】
【図１】プリンタプロセッサの構成を示す概略図である。
【図２】スキュー補正装置の構成を示す概略図である。
【図３】スキュー補正装置のガイド板の構成を示す斜視図である。
【図４】ガイド板の構成を説明する展開図である。
【図５】スキュー補正装置と露光装置のガイド板の継ぎ目部を示す斜視図である。
【図６】チルト駆動機構を示す斜視図である。
【図７】ガイド板の変形例を説明する展開図である。
【図８】ガイド板の変形例を説明する展開図である。
【符号の説明】
【００５８】
１０  プリンタプロセッサ
１９  スキュー補正装置
２１  露光装置
２４  感光材料
３０  搬送ローラ対
４０，４１，４２  搬送ガイド
４０ａ，４０ｂ，４１ａ，４１ｂ，４２ａ，４２ｂ，６７  ガイド板
４５，５１，５３，６１，６３，６８  端縁
４６，６２  切欠き
５２，５４，６４，６９  突出板
８１〜８３，９２，９３  ガイド板
８４，８６，８８，９０，９４，９７  端縁
８５，８９，９６  切欠き
８７，９１，９５，９８  突出板
【図１】
2005306606.tif 000003
【図２】
2005306606.tif 000004
【図３】
2005306606.tif 000005
【図４】
2005306606.tif 000006
【図５】
2005306606.tif 000007
【図６】
2005306606.tif 000008
【図７】
2005306606.tif 000009
【図８】
2005306606.tif 000010